(57)【要約】【課題】  従来の電子制御装置では、高圧洗浄による圧力噴流が呼吸フィルタに当たると呼吸フィルタのＯリングとカバーの接触面に微小な隙間が生じ、ケース内部に水が浸入する恐れがある。【解決手段】  本発明は、前記課題に鑑みてなされたものであり、その目的とするところは、従来の構造が呼吸フィルタを高圧洗浄の圧力噴流から保護するため、高さの違う２種類の突起物により、高圧洗浄時に圧力噴流が呼吸フィルタに直接当たった場合でも、突起物により呼吸フィルタが動かないように支え、呼吸フィルタのＯリングとカバーの接触面に微小な隙間が生じるのを防ぎ、ケース内部に水が浸入するのを防ぐことにある。【選択図】図１
2010012842.tif 000002
【特許請求の範囲】
【請求項１】
電子部品を実装したプリント配線基板を収容する防水ケースと、
前記防水ケース設けられた前記防水ケースの内外を呼吸させるための呼吸フィルタとを備えた車載される電子制御装置において、
前記呼吸フィルタの取付け部に、
前記呼吸フィルタを囲むように設けられた複数の第１の突起と、
前記呼吸フィルタの底面部と前記防水ケースとの間に設けられた複数の第２の突起とを備え、
前記第１の突起よりも前記第２の突起が低背であることを特徴とする電子制御装置。
【請求項２】
請求項１において、
前記突起は、前記防水ケースに凸状に形成されたことを特徴とする電子制御装置。
【請求項３】
請求項２において、
前記第１の突起は、前記呼吸フィルタの外側に配置され、対角線状または放射状に設けられたことを特徴とする電子制御装置。
【請求項４】
請求項１において、
前記第２の突起は、前記呼吸フィルタの底面部に設けることを特徴とする電子制御装置。
【請求項５】
請求項１において、
前記第１の突起と前記第２の突起は、高圧洗浄機からの高圧な圧力噴流により前記呼吸フィルタがずれることを、側面側、又は下方側から支え、前記呼吸フィルタがずれることで生じるＯリングと防水ケース間の隙間に生じる隙間から防水ケース内部に水が浸入することを防ぐことを特徴とする電子制御装置。
【請求項６】
請求項１において、
前記第１の突起および／または前記第２の突起は、円柱状，角柱状、または三角形の板状をした突起物であり、
前記第１の突起は前記呼吸フィルタの外周に沿って設け、前記第２の突起は前記Ｏリングの外周よりも大きく且つ前記呼吸フィルタの外周より小さく、前記呼吸フィルタ配置部の円の中心に対して同心円状の円周に沿って設けることを特徴とする電子制御装置。
【発明の詳細な説明】
【技術分野】
【０００１】
本発明は、電子制御装置および防水ケースに係り、特に、プリント配線基板が防水ケース内に収容され、防水ケースに呼吸フィルタを有した電子制御装置及び防水ケースに関する。
【背景技術】
【０００２】
エンジンルーム内等で、水のかかる部位に搭載される車載の電子制御装置として、プリント配線基板が防水ケース内に収容され、防水ケースに当該防水ケースの内外を呼吸させるための呼吸フィルタが取り付けられているものが知られている。
【０００３】
エンジンルームの高圧洗浄時等に、圧力噴流が呼吸フィルタに直接当たらないようにするために、防水ケースに凹部を形成して当該凹部に呼吸フィルタを配置することにより、呼吸フィルタの配置部を前記凹部の内側壁により取り囲み、更に、凹部より防水ケース側面まで延びる排水用溝を設けたものがある（例えば、特許文献３）。
【０００４】
【特許文献１】特開２００５−１５０３７６号公報
【特許文献２】特開２００５−１２９８６１号公報
【特許文献３】特開２００２−１３４９３９号公報
【発明の開示】
【発明が解決しようとする課題】
【０００５】
従来の電子制御装置では、高圧洗浄による圧力噴流が呼吸フィルタに当たると呼吸フィルタのＯリングとカバーの接触面に微小な隙間が生じ、ケース内部に水が浸入する恐れがある。
【０００６】
本発明は、前記課題に鑑みてなされたものであり、その目的とするところは、従来の構造が呼吸フィルタを高圧洗浄の圧力噴流から保護するため、高さの違う２種類の突起物により、高圧洗浄時に圧力噴流が呼吸フィルタに直接当たった場合でも、突起物により呼吸フィルタが動かないように支え、呼吸フィルタのＯリングとカバーの接触面に微小な隙間が生じるのを防ぎ、ケース内部に水が浸入するのを防ぐことにある。
【課題を解決するための手段】
【０００７】
呼吸フィルタの外側に突起物（突起（大））を配置し、対角線状または放射状に設ける。また、前記呼吸フィルタの底面部にも突起物（突起（小））を設けることにより、高圧洗浄時に圧力噴流が呼吸フィルタに直接当たった場合でも、突起物により呼吸フィルタが動かなくなり、ケース内部に水が浸入するのを防ぐことが出来る。
【発明の効果】
【０００８】
本発明の電子制御装置は、従来のように呼吸フィルタを保護する外壁を設けていないため、高圧洗浄による圧力噴流が呼吸フィルタに当たると呼吸フィルタのＯリングとカバーの接触面に微小な隙間が生じ、ケース内部に水が浸入する恐れがあるが、本発明は高圧洗浄時に圧力噴流が呼吸フィルタに直接当たった場合でも、突起物により呼吸フィルタが動かなくなり、ケース内部に水が浸入するのを防ぐことが出来る。また、構造上、水分の滞留を防ぎ、水や異物による呼吸フィルタ，Ｏリングの腐食を抑え、エンジンルーム内での取り付け方向，姿勢や位置を制限せず、電子制御装置の取り付け自由度を拡大する利点がある。
【０００９】
さらに、ベースとなる防水ケースがあれば、前記の突起物を追加するだけで本発明の機能と効果を追加することが可能であり、応用性が高いということ。
【発明を実施するための最良の形態】
【００１０】
以下、本発明の電子制御装置を実施するための最良の実施形態によって具体的に説明するが、本発明は以下の実施例に限定されるものではない。
【実施例１】
【００１１】
図１は、本発明における電子制御装置の構成図を示す。
【００１２】
１は本発明の電子制御装置を示す。電子制御装置１は、２の防水ケースの一部であるカバーを示す。３は電子制御装置の防水ケースの一部であるベースを示す。これらが一体となりシール構造を伴うことにより防水性を保持した電子制御装置となる。
【００１３】
このカバー２とベース３の中には、電子部品が実装されたプリント配線基板が入っており車両から延びるハーネスと電子制御装置が有するコネクタ４が接続され、車両からの各スイッチ情報を入力したり、それに伴い負荷を制御する。５は電子制御装置１の内，外の圧力差を吸収するために設けた呼吸フィルタであり、電子制御装置１の内，外の圧力差が生じた時、呼吸をするためのものである。この呼吸フィルタ５は、モールド製のハウジング５１に例えばゴアテックス製の膜５２とカバー２とのシール性を保持するために例えばシリコン製のＯリング５３を有している。防水ケースの一部であるカバー２には、今回の発明である突起（大）１１と突起（小）１２を示す。この突起（大）１１は呼吸フィルタ５の外周部に設ける。そして、突起（小）１２は呼吸フィルタ５の下部側に設ける。いずれも呼吸フィルタ５を固定するために設けるものである。
【００１４】
図２は、本発明における電子制御装置のカバー部のみの図を示す。
【００１５】
本発明の呼吸フィルタを固定する（支える）突起（大）１１と突起（小）１２の形状を示す。
【００１６】
この突起の役割は、突起（大）は高圧洗浄による圧力噴流が呼吸フィルタに直接当たり横方向にスライドするような事態になった時、呼吸フィルタを横方向にスライドするのを防ぐため固定する（支える）ことにある。また、突起（小）１２は呼吸フィルタ下部側に設けられ、これも高圧洗浄による圧力噴流が呼吸フィルタに直接当たり斜めに傾くような事態になった時、呼吸フィルタの下部側から固定し、傾かないよう固定する（支える）ことと、呼吸フィルタのＯリングに直接圧力噴流が当たらないようにするものである。このように突起（大）は放射線状に複数個（３個以上）設けることにより、電子制御装置１を車両に取り付ける際、方向，姿勢や位置を制限せずに水や異物の排水性，停留防止性がより確実になる。突起（小）は円形状に設ける。また、突起（小）は水の停留を防ぐため連続した円ではなく、数箇所突起（小）に切り欠きを設ける。
【００１７】
図３，図４は、本発明が解決しようとする問題点の説明図を示す。
【００１８】
１１は従来の電子制御装置を示す。６は従来の防水構造のカバーを示す。３は電子制御装置の防水ケースの一部であるベースを示す。これらが一体となりシール構造を伴うことにより防水性を保持した電子制御装置となる。
【００１９】
このカバー２とベース３の中には、電子部品が実装されたプリント配線基板が入っておりコネクタ４が実装されている。５は電子制御装置１１の内，外の圧力差を吸収するために設けた呼吸フィルタであり、電子制御装置１１の内，外の圧力差が生じた時、呼吸をするためのものである。この呼吸フィルタ５は、横、もしくは斜め上方から高圧洗浄による圧力噴流が直接当たると傾くことが予想される（図４参照のこと）。
【００２０】
このように呼吸フィルタ５が傾くとＯリング５３ａ側の面厚が小さくなり、高圧洗浄の水圧に押され、定常の位置からずれることにより微小な隙間が生じ、水が電子制御装置１１内に入り込む恐れがある。
【００２１】
図５は、本発明の効果の説明図を示す。
【００２２】
呼吸フィルタ５の側面側に突起（大）１１、下部側に突起（小）１２を設けている。このため、呼吸フィルタ５に、高圧洗浄による圧力噴流が横、もしくは斜め上方から直接当たった場合でも、呼吸フィルタ５は横方向にスライドをするようなことや、斜めに傾く事はない。この目的にから、突起（大）１１の上端の高さは呼吸フィルタ５を正規の取り付け状態で呼吸フィルタ５の頭部から高くしても低くしても良いが、呼吸フィルタ５に当たる高さ（位置）に設定されていなければならない。
【００２３】
図６は、本発明における突起の形状図を示す。
【００２４】
突起（大）の形状は、（ａ）〜（ｃ）に示すように、円柱状，角形状、または三角形状の板状もしくは立体の突起物のいずれであっても良く、突起（小）の形状は（ｄ）〜（ｆ）に示すように半円形状，三角形状，角状の板状もしくは立体の突起物のいずれであっても良い。
【図面の簡単な説明】
【００２５】
【図１】本発明の電子制御装置および防水ケースの一つの実施形態を示す図。
【図２】本発明の電子制御装置のカバーの実施形態を示す図。
【図３】従来の電子制御装置、および防水ケースの構造を示す図。
【図４】従来の電子制御装置の問題点を説明する詳細図。
【図５】本発明の電子制御装置の効果を説明する詳細図。
【図６】本発明の突起物の形状を示す図。
【符号の説明】
【００２６】
１  電子制御装置
２  本発明のカバー
３  ベース
４  コネクタ
５  呼吸フィルタ
６  従来のカバー
１１  突起（大）
１２  突起（小）
５１  ハウジング
５２  ゴアテックス製の膜
５３  Ｏリング
【図１】
2010012842.tif 000003
【図２】
2010012842.tif 000004
【図３】
2010012842.tif 000005
【図４】
2010012842.tif 000006
【図５】
2010012842.tif 000007
【図６】
2010012842.tif 000008